(57)【特許請求の範囲】
【請求項１】
３色（赤Ｒ，緑Ｇ，青Ｂ）分解プリズムと固体撮像素子とを用いた３板式固体撮像装置の冷却装置において、
前記固体撮像素子と信号処理用半導体素子とを実装したセンサー基板を３色分解プリズムの分解光射出部に装着し、前記３色分解プリズムと、前記固体撮像素子と前記信号処理用半導体素子とを実装した前記センサー基板と、前記固体撮像素子及び前記信号処理用半導体素子から発生した熱を冷却する放熱フィンとを全て取り囲むプリズムボックスを、レンズを装着するレンズマウント部に設け、前記プリズムボックスの一方の側壁面に開口を開けた箇所に冷却ファンを取り付け、前記プリズムボックスの他の側壁面に前記放熱フィンに冷却風を導く開口ノズルを設け、前記冷却ファンによって前記プリズムボックス内の空気を吸引することで前記プリズムボックス内の圧力を下げ、前記プリズムボックスの外部空気を前記開口ノズルから吸引して前記放熱フィンと前記センサー基板とに一様に衝突噴流させて冷却することを特徴とする３板式固体撮像装置の冷却装置。
【請求項２】
請求項１に記載の３板式固体撮像装置の冷却装置において、前記プリズムボックスをカメラハウジングの底面に固定して前記プリズムボックスに伝わった熱を前記カメラハウジングの底面から外気に放出し、前記プリズムボックス内の冷却空気温度上昇を抑えることを特徴とする３板式固体撮像装置の冷却装置。
【請求項３】
請求項１または請求項２に記載の３板式固体撮像装置の冷却装置において、前記固体撮像素子及び前記信号処理用半導体素子から取り出した画像情報信号を処理する信号処理基板を前記プリズムボックスの壁面に高熱伝導シートを介して取り付け、前記信号処理基板から発生する熱を前記プリズムボックス内の空気や３板式固体撮像装置内部空気に放出せず、前記プリズムボックスの壁面の熱伝導部材を経て前記３板式固体撮像装置の外部に放出させる構造を備えたことを特徴とする３板式固体撮像装置の冷却装置。
【請求項４】
請求項３に記載の３板式固体撮像装置の冷却装置において、前記信号処理基板の発生熱を３板式固体撮像装置内部に放出させないように、前記発生熱を３板式固体撮像装置の外部に伝導放出させる熱伝導冷却板を備え、前記信号処理基板上を前記熱伝導冷却板で覆う構造を備えたことを特徴とする３板式固体撮像装置の冷却装置。
【発明の詳細な説明】
【技術分野】
【０００１】
本発明は、ＣＭＯＳ（Complementary  Metal-Oxide-Semiconductor）、ＣＣＤ（Charge  Coupled  Device）等の固体撮像素子を用いた固体撮像装置に係り、特に、冷却性能を高めることが可能な３板式固体撮像装置の冷却装置に関するものである。
【背景技術】
【０００２】
ＣＭＯＳ（Complementary  Metal-Oxide-Semiconductor）、ＣＣＤ（Charge  Coupled  Device）等の固体撮像素子を用い、画像の解像度と色分解性能を高めた３板式固体撮像装置では、撮像レンズから入射した光を色分解プリズムを用いて三原色（赤Ｒ，緑Ｇ，青Ｂ）に分光させ、各色分解した光を色分解プリズムの分解光射出部に取り付けた各固体撮像素子に結像させる方式がとられている。
【０００３】
各固体撮像素子より出力される画像信号を得るため、固体撮像素子に通電すると、固体撮像素子は発熱して温度上昇する。この際、三原色（赤Ｒ，緑Ｇ，青Ｂ）の画像信号を得る各３板の固体撮像素子の温度上昇が同じ程度であることが非常に重要である。もし温度上昇が異なると、色ずれやノイズ等が発生し、画像の解像度と色分解性能が低下してしまう。従って、各固体撮像素子は、三原色（赤Ｒ，緑Ｇ，青Ｂ）とも同じように冷却されることが大切である。
【０００４】
また、固体撮像素子での温度上昇が大きくなり過ぎると、固体撮像素子内の暗電流が増加し、ノイズが発生し、画像の画質を劣化させる。そのため、３板式固体撮像装置には、固体撮像素子の温度上昇を所定の範囲内に抑える冷却装置が必ず必要である。
【０００５】
そのため、従来の３板式固体撮像装置の冷却装置として、固体撮像素子それぞれに設けられた放熱フィンと、外部から冷却空気を吸引し各放熱フィンに冷却空気を送り込むファンと、ファンを収納するファンケースと、ファンカバーとを備え、ファンケースのガイド穴からファンの冷却空気を流出して固体撮像素子の放熱フィンを冷却するものが提案されている（特許文献１参照）。
【０００６】
上記した従来技術による３板式固体撮像装置の冷却装置について、図７を用いてより詳しく説明する。図７は、従来の３板式固体撮像装置のフロントパネル部と固体撮像素子及びその周辺部分を取り出した分解斜視図である。
図７において、１はファン、２はファン１を収納するファンケース、３はファンケース２を覆うファンカバー、４ＢはＢ（青）チャンネルの固体撮像素子に設けられた放熱フィン、４ＧはＧ（緑）チャンネルの固体撮像素子に設けられた放熱フィン、４ＲはＲ（赤）チャンネルの固体撮像素子に設けられた放熱フィン、５ＧはＧチャンネルの放熱フィン４Ｇを覆うフィンカバー、８Ｇはファンケース２に設けられた開口部からファン１の出力風を放熱フィン４Ｇに吹き付けるためのガイド穴、８Ｂはファンケース２に設けられた開口部からファン１の出力風を放熱フィン４Ｂに吹き付けるためのガイド穴、８Ｒはファンケース２に設けられた開口部からファン１の出力風を放熱フィン４Ｒに吹き付けるためのガイド穴、１１はフロントパネル、１２は３色分解プリズム、１３はファンカバー３に設けられた開口部である。
【０００７】
上記構成によって、例えば、ファン１がファンカバー３に設けられた開口部１３から外部空気を吸引して、ファン１から噴き出る冷却風は、ファンケース２のガイド穴８Ｇから放熱フィン４Ｇに流入し、Ｇチャンネルの固体撮像素子を冷却する。他のＲチャンネルの固体撮像素子やＢチャンネルの固体撮像素子もファン１からの冷却風によって同様に冷却される。
【先行技術文献】
【特許文献】
【０００８】
【特許文献１】特開２００９−２０６９５１号公報
【発明の概要】
【発明が解決しようとする課題】
【０００９】
しかしながら、上述した従来技術には、以下の問題点が存在する。
ファン１では、ファン翼が回転することで、ファン風が発生する。その際、ファン翼から吐出される風には、ファン翼の回転による旋回成分がどうしても加算されてしまう。
そのため、各固体撮像素子の放熱フィン４Ｒ，４Ｇ，４Ｂを冷却する風は、ファンケース２内で旋回し、ファン１の回転の影響を受けてファンケース２のガイド穴８Ｒ，８Ｇ，８Ｂに流れ込むため、各ガイド穴を全て同じ一様な速度で流出させることが出来ない。
【００１０】
更に、３色分解プリズム１２後方の分解光射出部に取り付けた各固体撮像素子の放熱フィン４Ｒ，４Ｇ，４Ｂは、構造上、ファン１の中心に対して、同一円周上にそれぞれ配置することができないため、たとえ、ガイド穴８Ｒ，８Ｇ，８Ｂの開口部の大きさを揃えたとしても、各ガイド穴８Ｒ，８Ｇ，８Ｂから流出する冷却風は同じ速度の風を得ることが出来ず、その結果、ＲＧＢ用の各固体撮像素子を同じ温度に冷却することが出来ない。折角、Ｒ，Ｇ，Ｂと３色に分解して精度の高い画像を得るように構成しても、各固体撮像素子の温度が各々異なってしまうという問題点がある。
【００１１】
そこで、本発明は、上記した従来技術に係わる問題点を解決すべくなされたものである。
本発明の第一の目的は、３板式の固体撮像素子と信号処理用半導体素子とを実装した各センサー基板に放熱フィンを取り付けて、冷却ファンのファン風に旋回成分が入ることなく、同じ温度、かつ同じ風速の冷却風を各放熱フィンとセンサー基板に吹き付けることにより、各センサー基板に取り付けた放熱フィンを同一条件で冷却することができ、冷却性能を高めることが可能な３板式固体撮像装置の冷却装置を提供することである。
【００１２】
更に、本発明の第二の目的は、３板式の固体撮像素子と信号処理用半導体素子とを実装した各センサー基板を冷却するファン風温度を下げるため、３板式固体撮像装置の信号処理基板の発生熱を３板式固体撮像装置内部に放出せず、熱伝導部材を介して３板式固体撮像装置の外部に放出させることにより、冷却性能を更に高めることが可能な３板式固体撮像装置の冷却装置を提供することである。
【００１３】
更に、本発明の第三の目的は、信号処理基板の発生熱を３板式固体撮像装置内部に放出させないように、前記発生熱を３板式固体撮像装置の外部に伝導放出させる熱伝導冷却板で信号処理基板上を覆う構造を備えることにより、冷却性能を更に高めることが可能な３板式固体撮像装置の冷却装置を提供することである。
【課題を解決するための手段】
【００１４】
上記課題を解決するために、本発明の３板式固体撮像装置の冷却装置は、３色（赤Ｒ，緑Ｇ，青Ｂ）分解プリズムと固体撮像素子とを用いた３板式固体撮像装置の冷却装置において、前記固体撮像素子と信号処理用半導体素子とを実装したセンサー基板を３色分解プリズムの分解光射出部に装着し、前記３色分解プリズムと、前記固体撮像素子と前記信号処理用半導体素子とを実装した前記センサー基板と、前記固体撮像素子及び前記信号処理用半導体素子から発生した熱を冷却する放熱フィンとを全て取り囲むプリズムボックスを、レンズを装着するレンズマウント部に設け、前記プリズムボックスの一方の側壁面に開口を開けた箇所に冷却ファンを取り付け、前記プリズムボックスの他の側壁面に前記放熱フィンに冷却風を導く開口ノズルを設け、前記冷却ファンによって前記プリズムボックス内の空気を吸引することで前記プリズムボックス内の圧力を下げ、前記プリズムボックスの外部空気を前記開口ノズルから吸引して前記放熱フィンと前記センサー基板とに一様に衝突噴流させて冷却することを特徴とする。
【００１５】
また、上記課題を解決するために、本発明の３板式固体撮像装置の冷却装置は、上記した３板式固体撮像装置の冷却装置において、前記プリズムボックスをカメラハウジングの底面に固定して前記プリズムボックスに伝わった熱を前記カメラハウジングの底面から外気に放出し、前記プリズムボックス内の冷却空気温度上昇を抑えることを特徴とする。
【００１６】
また、上記課題を解決するために、本発明の３板式固体撮像装置の冷却装置は、上記した３板式固体撮像装置の冷却装置において、前記固体撮像素子及び前記信号処理用半導体素子から取り出した画像情報信号を処理する信号処理基板を前記プリズムボックスの壁面に高熱伝導シートを介して取り付け、前記信号処理基板から発生する熱を前記プリズムボックス内の空気や３板式固体撮像装置内部空気に放出せず、前記プリズムボックスの壁面の熱伝導部材を経て前記３板式固体撮像装置の外部に放出させる構造を備えたことを特徴とする。
【００１７】
また、上記課題を解決するために、本発明の３板式固体撮像装置の冷却装置は、上記した３板式固体撮像装置の冷却装置において、前記信号処理基板の発生熱を３板式固体撮像装置内部に放出させないように、前記発生熱を３板式固体撮像装置の外部に伝導放出させる熱伝導冷却板を備え、前記信号処理基板上を前記熱伝導冷却板で覆う構造を備えたことを特徴とする。
【発明の効果】
【００１８】
本発明によれば、３色分解ＲＧＢ用の固体撮像素子と信号処理用半導体素子とを実装したセンサー基板を３色分解プリズムの分解光射出部に装着し、３色分解プリズムと、固体撮像素子と信号処理用半導体素子とを実装したセンサー基板と、固体撮像素子及び信号処理用半導体素子から発生した熱を冷却する放熱フィンとを全て取り囲むプリズムボックスを、カメラレンズを装着するレンズマウント部に設け、プリズムボックスの一方の側壁面に開口を開けた箇所に冷却ファンを取り付け、プリズムボックスの他の側壁面に放熱フィンに冷却風を導く開口ノズルを設け、冷却ファンによってプリズムボックス内の空気を吸引することでプリズムボックス内の圧力を下げ、開口と開口ノズルと冷却ファンとの位置関係に係らず、プリズムボックスの外部空気が冷却ファンの回転成分を伴わずに開口ノズルから流入し、放熱フィンとセンサー基板に一様に衝突噴流するので、３板式固体撮像素子を全て同じ様に冷却することができる。そして、プリズムボックスがカメラハウジングの底面に固定されているので、プリズムボックスに伝わった熱はカメラハウジングの底面から外気に放出され、プリズムボックス内の冷却空気温度の上昇を抑えることが出来る。
【００１９】
更に、３色分解ＲＧＢ用の各固体撮像素子及び信号処理用半導体素子から取り出した画像情報信号を処理する信号処理基板をプリズムボックスの壁面に高熱伝導シートを介して取り付けることで、信号処理基板から発生する熱を直接プリズムボックス内の冷却空気や３板式固体撮像装置内部空気に放出せずに、プリズムボックスの壁面の熱伝導壁からカメラハウジングの底面に熱伝導させ、最終的に外気に放出させるので、プリズムボックス内の空気温度の温度上昇を抑えることが出来る。
【００２０】
また、信号処理基板上を熱伝導冷却板で覆うことで、信号処理基板から発生する熱を直接プリズムボックス内の冷却空気や３板式固体撮像装置内部空気に放出せずに、３板式固体撮像装置の外部に伝導放出させることが出来る。
【図面の簡単な説明】
【００２１】
【図１】本発明の実施形態１に係る３板式固体撮像装置の主要部を示す分解斜視図である。
【図２】図１の各部材を一体に組み立てた場合の斜め前方から見た斜視図である。
【図３】図１の３板式固体撮像素子ユニットをＫ−Ｋ面で切断した断面図である。
【図４】本発明の実施形態１に係る３板式固体撮像装置のカメラハウジングの手前左側壁を切欠き、内部部品が組み立てられた状態を示す斜め前方斜視図である。
【図５】本発明の実施形態２に係る３板式固体撮像装置の主要部を示す分解斜視図である。
【図６】本発明の実施形態３に係る３板式固体撮像装置の主要部を示す断面図である。
【図７】従来の３板式固体撮像装置のフロントパネル部と固体撮像素子及びその周辺部分を取り出した分解斜視図である。
【発明を実施するための形態】
【００２２】
＜実施形態１＞
以下、本発明の実施形態１に係る３板式固体撮像装置の構成について、図１〜図４を参照して具体的、かつ詳細に説明する。図１は、本発明の実施形態１に係る３板式固体撮像装置の主要部を示す分解斜視図である。図２は、図１の各部材を一体に組み立てた場合の斜め前方から見た斜視図である。図３は、図１の３板式固体撮像素子ユニットをＫ−Ｋ面で切断した断面図であり、固体撮像素子と放熱フィンを実装したセンサー基板を色分解プリズム後方の分解光射出部に装着した状態を示している。また、図４は、本発明の実施形態１に係る３板式固体撮像装置のカメラハウジングの手前左側壁を切欠き、内部部品が組み立てられた状態を示す斜め前方斜視図である。
なお、３原色（赤Ｒ，緑Ｇ，青Ｂ）用の構成部材を区別するため、図中の部番の後ろにＲ，Ｇ，Ｂと記号を付して説明を省略する。また、各３原色の光（赤Ｒ，緑Ｇ，青Ｂ）に対する構造が共通しているので、ここでは上部のＢチャンネルについてのみ詳細に図示して説明する。
【００２３】
３板式固体撮像素子ユニット１００は、撮像レンズ１０１が取り付くフロントフレーム１０２の後方に、撮像レンズ１０１から入射した光を３原色（赤Ｒ，緑Ｇ，青Ｂ）に分解する色分解プリズム１０３が装着され、３原色分解光を入射し電気信号に変換する各固体撮像素子１０４と各信号処理用半導体素子（図示せず）とを一緒に実装したセンサー基板１０５を、３色分解プリズム１０３後方の分解光射出部に、所定の取付金具を使用して固定する構成としたユニットである。
各固体撮像素子１０４から電気信号を得る際に、各固体撮像素子１０４及び各信号処理用半導体素子（図示せず）から発生する熱を冷却するため、センサー基板１０５の固体撮像素子１０４実装面とは反対側の面には、放熱フィン１０６がスプリング１０７によって低荷重の力で固着されている。
【００２４】
また、３板式固体撮像素子ユニット１００は、５壁面（上下方向、左右方向、後方）で構成されるプリズムボックス１０８で周囲が囲み込まれている。そして、プリズムボックス１０８の右側壁１０９には、開口１１０が開けられ、当該開口１１０に合わせて冷却ファン１１１が取り付けられている。
また、プリズムボックス１０８の左側壁を構成する左側壁板１１２には、各放熱フィン１０６に冷却風を導く開口ノズル１１３が設けられている。
なお、冷却ファン１１１と開口ノズル１１３との位置関係は、左右逆でも構わない。
プリズムボックス１０８は、底面を構成する底板１１４の底面接続部１１４ａ,１１４ｂ,１１４ｃ及び底面接続部１１４ｄ,１１４ｅ,１１４ｆで床下冷却フィンベース１１７に固定されている。
床下冷却フィンベース１１７の下方には床下冷却フィン１１８が形成されている。なお、床下冷却フィン１１８は、図４に示すように、カメラハウジング２００の外部に突出し、薄型の遠心ファン１１９によって強制冷却される。
【００２５】
したがって、本発明の実施形態１に係る３板式固体撮像装置は、図１〜図４で示す様に構成されているので、冷却ファン１１１によってプリズムボックス１０８内の空気を吸引することでプリズムボックス１０８内の圧力が下がり、プリズムボックス１０８の開口ノズル１１３と冷却ファン１１１との位置関係に係らず、プリズムボックス１０８の外部空気が開口ノズル１１３から一様に流入し、冷却ファン１１１の回転成分を伴わずに放熱フィン１０６とセンサー基板１０５とに衝突噴流するので、３板式の固体撮像素子１０４を全て同じ様に冷却することが出来る。また、プリズムボックス１０８は床下冷却フィンベース１１７に固定されているので、プリズムボックス１０８壁に伝わった熱をカメラハウジング２００の底面から外気に放出し、プリズムボックス１０８内の冷却空気の温度上昇を抑えることが出来る。
【００２６】
以上説明したように、本発明の実施形態１に係る３板式固体撮像装置によれば、３板式の固体撮像素子と信号処理用半導体素子とを実装した各センサー基板に放熱フィンを取り付けて、冷却ファンのファン風に旋回成分が入ることなく、同じ温度、かつ同じ風速の冷却風を各放熱フィンとセンサー基板に吹き付けることにより、各センサー基板に取り付けた放熱フィンを同一条件で冷却することができ、冷却性能を高めることが可能な３板式固体撮像装置の冷却装置を提供することができる。
【００２７】
＜実施形態２＞
以下、本発明の実施形態２に係る３板式固体撮像装置の構成について、図５を参照して説明する。図５は、本発明の実施形態２に係る３板式固体撮像装置の主要部を示す分解斜視図である。なお、図５において、本発明の実施形態１で説明した構成と同一のものは、同じ部番を付し説明を省略する。
【００２８】
本発明の実施形態２に係る３板式固体撮像装置は、本発明の実施形態１で詳述した３板式固体撮像素子ユニット１００から画像情報信号を取り出し、取り出した画像情報信号を処理する信号処理基板１２０をプリズムボックス１０８後方の背面壁１１５に高熱伝導シート(図示せず)を介して取り付け、さらに、プリズムボックス１０８後方の背面壁１１５に信号処理基板１２０の電子部品実装面全体を上から覆う熱伝導冷却板１２１を取り付けている。
なお、本実施例では、信号処理基板１２０の取り付け面をプリズムボックス１０８後方の背面壁１１５としているが、プリズムボックス１０８のその他の壁面に取り付けるようにしても良い。
【００２９】
したがって、本発明の実施形態２に係る３板式固体撮像装置は、図５で示す様に構成されているので、信号処理基板１２０から発生する熱が直接プリズムボックス１０８内の冷却空気や３板式固体撮像装置内部空気に放出されずに、プリズムボックス１０８の背面壁１１５からカメラハウジング２００の底面に伝わり、最終的に外気に放出されるので、プリズムボックス１０８内の空気温度の温度上昇が抑えられる。
【００３０】
以上説明したように、本発明の実施形態２に係る３板式固体撮像装置によれば、３板式の固体撮像素子と信号処理用半導体素子とを実装した各センサー基板に放熱フィンを取り付けて、冷却ファンのファン風に旋回成分が入ることなく、同じ温度、かつ同じ風速の冷却風を各放熱フィンとセンサー基板に吹き付けることにより、各センサー基板に取り付けた放熱フィンを同一条件で冷却することができ、冷却性能を高めることが可能な３板式固体撮像装置の冷却装置を提供することができる。
更に、３板式の固体撮像素子と信号処理用半導体素子とを実装した各センサー基板を冷却するファン風温度を下げるため、３板式固体撮像装置の信号処理基板の発生熱を３板式固体撮像装置内部に放出せず、熱伝導部材を介して３板式固体撮像装置の外部に放出させることができ、冷却性能を更に高めることが可能な３板式固体撮像装置の冷却装置を提供するができる。
【００３１】
＜実施形態３＞
以下、本発明の実施形態３に係る３板式固体撮像装置の構成について、図６を参照して説明する。図６は、本発明の実施形態３に係る３板式固体撮像装置の主要部を示す断面図である。なお、図６において、本発明の実施形態１で説明した構成と同一のものは、同じ部番を付し説明を省略する。
【００３２】
本発明の実施形態３に係る３板式固体撮像装置は、本発明の実施形態１に係る３板式固体撮像装置の構成に対して、異なる形状のプリズムボックス１３０を有している。
プリズムボックス１３０は、３板式固体撮像素子ユニット１００の周囲全体を囲み込むよう形成されている。また、プリズムボックス１３０の上下方向並びに後方の壁面は、３原色（赤Ｒ，緑Ｇ，青Ｂ）用の固体撮像素子１０４Ｒ，１０４Ｇ，１０４Ｂの発生熱を取り去る放熱フィン１０６Ｒ，１０６Ｇ，１０６Ｂの上面と略平行になるよう形成されている。
また、プリズムボックス１３０には、プリズムボックス１３０の外側から吸引される冷却空気が、放熱フィン１０６Ｒ，１０６Ｇ，１０６Ｂに対して真上から衝突噴流するように、放熱フィン１０６Ｒ，１０６Ｇ，１０６Ｂの真上にスリット開口１３１Ｒ，１３１Ｇ，１３１Ｂが開けられている。
なお、プリズムボックス１３０には、本発明の実施形態１と同様に、図示していない左右いずれかの側壁に冷却ファン用の開口が設けられ、当該開口に合わせて冷却ファン１１１が取り付けられている。
【００３３】
したがって、本発明の実施形態３に係る３板式固体撮像装置は、図６で示す様に構成されているので、冷却ファン１１１によってプリズムボックス１３０内の空気を吸引することでプリズムボックス１３０内の圧力が下がり、冷却ファン１１１との位置関係に係らず、スリット開口１３１Ｒ，１３１Ｇ，１３１Ｂからプリズムボックス１３０の外部空気が一様に流入し、冷却ファン１１１の回転成分を伴わずに放熱フィン１０６Ｒ，１０６Ｇ，１０６Ｂの真上から衝突噴流し、３板式固体撮像素子１０４Ｒ，１０４Ｇ，１０４Ｂを全て同じ様に冷却することが出来る。
【００３４】
以上説明したように、本発明の実施形態３に係る３板式固体撮像装置によれば、３板式の固体撮像素子と信号処理用半導体素子とを実装した各センサー基板に放熱フィンを取り付けて、冷却ファンのファン風に旋回成分が入ることなく、同じ温度、かつ同じ風速の冷却風を各放熱フィンとセンサー基板に吹き付けることにより、各センサー基板に取り付けた放熱フィンを同一条件で冷却することができ、冷却性能を高めることが可能な３板式固体撮像装置の冷却装置を提供することができる。
【００３５】
なお、上記実施形態の構成及び動作は例であって、本発明の趣旨を逸脱しない範囲で適宜変更して実行することができることは言うまでもない。
【産業上の利用可能性】
【００３６】
本発明は、ＣＭＯＳ（Complementary  Metal-Oxide-Semiconductor）、ＣＣＤ（Charge  Coupled  Device）等の固体撮像素子を用いた３板式固体撮像装置の冷却装置に適用することができる。
【符号の説明】
【００３７】
１：ファン、２：ファンケース、３：ファンカバー、４Ｒ，４Ｇ，４Ｂ:放熱フィン、５Ｇ：フィンカバー、８Ｒ，８Ｇ，８Ｂ：ガイド穴、１１：フロントパネル、１２：３色分解プリズム、１３：開口部、１００：３板式固体撮像素子ユニット、１０１：撮像レンズ、１０２：フロントフレーム、１０３：３色分解プリズム、１０４，１０４Ｒ，１０４Ｇ，１０４Ｂ：固体撮像素子、１０５，１０５Ｒ，１０５Ｇ，１０５Ｂ：センサー基板、１０６，１０６Ｒ，１０６Ｇ，１０６Ｂ：放熱フィン、１０７，１０７Ｒ，１０７Ｇ，１０７Ｂ：スプリング、１０８：プリズムボックス、１０９：右側壁、１１０：開口、１１１：冷却ファン、１１２：左側壁板、１１３，１１３Ｒ，１１３Ｇ，１１３Ｂ：開口ノズル、１１４：底板、１１４ａ，１１４ｂ，１１４ｃ，１１４ｄ,１１４ｅ,１１４ｆ：底面接続部、１１５：背面壁、１１７：床下冷却フィンベース、１１８：床下冷却フィン、１１９：遠心ファン、１２０信号処理基板、１２１：熱伝導冷却板、１３０：プリズムボックス、１３１Ｒ，１３１Ｇ，１３１Ｂ：スリット開口、２００：カメラハウジング。
【図１】
0006552054.tif 000002
【図２】
0006552054.tif 000003
【図３】
0006552054.tif 000004
【図４】
0006552054.tif 000005
【図５】
0006552054.tif 000006
【図６】
0006552054.tif 000007
【図７】
0006552054.tif 000008